(57)【要約】  電極の端部がイントロデューサーやシース、血管や心臓の内壁等に引っ掛かりにくく、また、製造が容易である電極カテーテルを提供する。遠近方向を有し、遠近方向に延在する内腔（１１）を有するカテーテルシャフト（１０）と、カテーテルシャフト（１０）に配置されている電極（２０）と、電極（２０）に接続されている導線（３０）と、電極（２０）の外方に配置されている防護物（４０）を有し、下記（１）の条件と下記（２）の条件の少なくとも一方を満たす電極カテーテル。（１）電極（２０）の遠位縁部の一部が防護物（４０）に覆われており、残りの部分が防護物（４０）に覆われていない。（２）電極（２０）の近位縁部の一部が防護物（４０）に覆われており、残りの部分が防護物（４０）に覆われていない。
2020071084.tif 000002
【特許請求の範囲】
【請求項１】
遠近方向を有し、遠近方向に延在する内腔を有するカテーテルシャフトと、
前記カテーテルシャフトに配置されている電極と、
前記電極に接続されている導線と、
前記電極の外方に配置されている防護物を有し、
下記（１）の条件と下記（２）の条件の少なくとも一方を満たすことを特徴とする電極カテーテル。
（１）前記電極の遠位縁部の一部が前記防護物に覆われており、残りの部分が前記防護物に覆われていない。
（２）前記電極の近位縁部の一部が前記防護物に覆われており、残りの部分が前記防護物に覆われていない。
【請求項２】
前記防護物は、前記電極に接している請求項１に記載の電極カテーテル。
【請求項３】
前記防護物は、絶縁物である請求項１または２に記載の電極カテーテル。
【請求項４】
前記（１）の条件および前記（２）の条件の両方を満たす請求項１〜３のいずれか一項に記載の電極カテーテル。
【請求項５】
前記電極の遠位縁部の一部を覆っている前記防護物と、前記電極の近位縁部の一部を覆っている前記防護物とが一体である請求項４に記載の電極カテーテル。
【請求項６】
前記防護物は、前記電極の遠位端よりも遠位側から延びており、かつ、前記電極の近位端よりも近位側から延びている請求項１〜５のいずれか一項に記載の電極カテーテル。
【請求項７】
前記防護物は、長尺状であり、
前記カテーテルシャフトの遠近方向に延在している請求項１〜６のいずれか一項に記載の電極カテーテル。
【請求項８】
前記電極は、第１の電極と第２の電極を有しており、
前記第１の電極は、前記第２の電極よりも遠位側に配置されており、
前記防護物は、前記第１の電極の少なくとも一部と前記第２の電極の少なくとも一部にまたがって設けられている請求項１〜７のいずれか一項に記載の電極カテーテル。
【請求項９】
前記カテーテルシャフトに配置されている前記電極の中で、前記第１の電極は、最も遠位側に配置されており、前記第２の電極は、最も近位側に配置されており、
前記防護物は、前記第１の電極の遠位縁部から前記第２の電極の近位縁部にまたがって設けられている請求項８に記載の電極カテーテル。
【請求項１０】
前記カテーテルシャフトは、遠位部に屈曲部を有し、
少なくとも一つの前記電極は、前記屈曲部に配置されている請求項１〜９のいずれか一項に記載の電極カテーテル。
【請求項１１】
前記防護物は、前記カテーテルシャフトの外方であって、前記屈曲部の内側に配置されている請求項１０に記載の電極カテーテル。
【請求項１２】
前記カテーテルシャフトは、前記屈曲部よりも近位側に直線部を有し、
前記屈曲部は、前記屈曲部の遠位端から１ｃｍの区間である第１区間と、前記屈曲部と前記直線部の境界から１ｃｍの区間である第２区間とを有し、
前記カテーテルシャフトの周方向における前記防護物の位置は、前記第１区間と前記第２区間とで異なる請求項１０または１１に記載の電極カテーテル。
【請求項１３】
前記カテーテルシャフトに接続されているコネクタを有し、
前記カテーテルシャフトは、前記カテーテルシャフトの外部と内腔を連通する穴を有し、
前記導線は、前記穴を通り、前記電極から前記コネクタまで延在しており、
前記カテーテルシャフトの軸中心に対して、前記穴と前記防護物が反対にある請求項１〜１２のいずれか一項に記載の電極カテーテル。
【発明の詳細な説明】
【技術分野】
【０００１】
本発明は、カテーテルシャフトが電極を有する電極カテーテルに関するものである。
【背景技術】
【０００２】
心房細動等の不整脈の検査や治療において、電極を有するカテーテルを用いることがある。検査時には、電極カテーテルを心腔内に挿入し、心内電位を測定して不整脈の原因となっている心臓の異常部位を特定する。治療時には、カテーテルの電極から高周波電流を不整脈の原因となっている心筋へ流し、不整脈の発生源を焼灼することによって心臓から電気的に分離する（アブレーション手術）。また、これらの検査時や治療時に心房細動が自然に発生した、または心臓の異常部特定のために心房細動を発生させた場合には、カテーテルの電極から電気的な刺激を心臓に与えて除細動を行う。【０００３】
電極カテーテルにおいて、電極の端部が血管や心臓の内壁を傷つけないように電極の端部を被覆したカテーテルや（例えば、特許文献１〜３参照）、電極が血液と接触することによるエネルギー損失を低減するために心臓組織に接触せずに血液と接触する側の電極の部分を被覆したカテーテルがある（例えば、特許文献４参照）。
【先行技術文献】
【特許文献】
【０００４】
【特許文献１】特開２０１７−１５９０５６号公報
【特許文献２】特開２０１２−３４８５２号公報
【特許文献３】特開２０１４−８３１７１号公報
【特許文献４】特表平１１−５０７２７０号公報
【発明の概要】
【発明が解決しようとする課題】
【０００５】
電極カテーテルを大腿静脈等に配置したシースから血管内に挿入する際に、イントロデューサーを用いることがある。具体的には、電極カテーテルの先端をイントロデューサーに引き込み、イントロデューサーの先端をシースの後端に差し込み、電極カテーテルを押し込んで血管へ挿入する。【０００６】
特許文献１〜４のような電極カテーテルでは、イントロデューサーに電極カテーテルの先端を引き込む際やシースから電極カテーテルを抜去する際に、電極カテーテルの電極の端部がイントロデューサーやシースの先端に引っ掛かり、イントロデューサーやシースの先端を傷める、若しくは電極カテーテルの電極が脱落する等の問題があった。また、特許文献１〜４のような電極カテーテルの製造において、電極の端部を被覆することが困難であって製造コストが高いという問題や、電極の端部の被覆の度合いが不均一であって品質のばらつきが大きいという問題もあった。さらに、特許文献１〜４のような電極カテーテルでは、電極の端部が血管や心臓の内壁を傷つけることを防止する効果が十分ではなく、改善の余地があった。【０００７】
本発明は、前記の事情に鑑みてなされたものであり、その目的は、電極の端部がイントロデューサーやシース、血管や心臓の内壁等に引っ掛かりにくく、また、製造が容易である電極カテーテルを提供することにある。
【課題を解決するための手段】
【０００８】
本発明者らは上記課題を解決するために鋭意研究を重ねた結果、本発明を完成するに至った。すなわち、本発明の要旨は以下の通りである。
［１］遠近方向を有し、遠近方向に延在する内腔を有するカテーテルシャフトと、カテーテルシャフトに配置されている電極と、電極に接続されている導線と、電極の外方に配置されている防護物を有し、下記（１）の条件と下記（２）の条件の少なくとも一方を満たすことを特徴とする電極カテーテル。
（１）電極の遠位縁部の一部が防護物に覆われており、残りの部分が防護物に覆われていない。
（２）電極の近位縁部の一部が防護物に覆われており、残りの部分が防護物に覆われていない。
［２］防護物は、電極に接していることが好ましい。
［３］防護物は、絶縁物であることが好ましい。
［４］（１）の条件および（２）の条件の両方を満たすことが好ましい。
［５］電極の遠位縁部の一部を覆っている防護物と、電極の近位縁部の一部を覆っている防護物とが一体であることが好ましい。
［６］防護物は、電極の遠位端よりも遠位側から延びており、かつ、電極の近位端よりも近位側から延びていることが好ましい。
［７］防護物は、長尺状であり、カテーテルシャフトの遠近方向に延在していることが好ましい。
［８］電極は、第１の電極と第２の電極を有しており、第１の電極は、第２の電極よりも遠位側に配置されており、防護物は、第１の電極の少なくとも一部と第２の電極の少なくとも一部にまたがって設けられていることが好ましい。
［９］カテーテルシャフトに配置されている電極の中で、第１の電極は、最も遠位側に配置されており、第２の電極は、最も近位側に配置されており、防護物は、第１の電極の遠位縁部から第２の電極の近位縁部にまたがって設けられていることが好ましい。
［１０］カテーテルシャフトは、遠位部に屈曲部を有し、少なくとも一つの電極は、屈曲部に配置されていることが好ましい。
［１１］防護物は、カテーテルシャフトの外方であって、屈曲部の内側に配置されていることが好ましい。
［１２］カテーテルシャフトは、屈曲部よりも近位側に直線部を有し、屈曲部は、屈曲部の遠位端から１ｃｍの区間である第１区間と、屈曲部と直線部の境界から１ｃｍの区間である第２区間とを有し、カテーテルシャフトの周方向における防護物の位置は、第１区間と第２区間とで異なることが好ましい。
［１３］カテーテルシャフトに接続されているコネクタを有し、カテーテルシャフトは、カテーテルシャフトの外部と内腔を連通する穴を有し、導線は、穴を通り、電極からコネクタまで延在しており、カテーテルシャフトの軸中心に対して、穴と防護物が反対にあることが好ましい。
【発明の効果】
【０００９】
本発明の電極カテーテルによれば、電極の端部がイントロデューサー、シース、および血管や心臓の内壁に引っ掛かりにくいためイントロデューサーやシースが破損しにくく、さらに、血管や心臓の内壁を傷つけにくくすることができる。また、防護物の配置が行いやすく、電極カテーテルの製造が容易である。
【図面の簡単な説明】
【００１０】
【図１】本発明の一実施の形態における電極カテーテルの全体の平面図を表す。
【図２】図１に示した電極カテーテルの遠位端部を近位側から見た平面図を表す。
【図３】本発明の一実施の形態における電極カテーテルの遠位端部の平面図を表す。
【図４】図３に示した電極カテーテルの遠近方向に沿った断面図を表す。
【図５】図４に示した電極カテーテルのＶ−Ｖ断面図を表す。
【図６】本発明の別の実施の形態における電極カテーテルの遠近方向に沿った断面図を表す。
【発明を実施するための形態】
【００１１】
以下、下記実施の形態に基づき本発明をより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴の理解に資することを優先しているため、実際の寸法とは異なる場合がある。
【００１２】
図１は本発明の実施の形態における電極カテーテルの全体の平面図であり、図２〜図３は電極カテーテルの遠位端部の平面図であり、図４は電極カテーテルの遠近方向に沿った断面図であり、図５は電極カテーテルの遠近方向に垂直な断面図であり、図６は本発明の別の実施の形態における電極カテーテルの遠近方向に沿った断面図である。なお、図２はカテーテルシャフトが遠位部に屈曲部を有している構成の電極カテーテルであり、図３はカテーテルシャフトが遠位部に屈曲部を有していないか、屈曲部を直線状にした状態の電極カテーテルを表す。
【００１３】
本発明の電極カテーテル１は、遠近方向を有し、遠近方向に延在する内腔１１を有するカテーテルシャフト１０と、カテーテルシャフト１０に配置されている電極２０と、電極２０に接続されている導線３０と、電極２０の外方に配置されている防護物４０を有し、下記（１）の条件と下記（２）の条件の少なくとも一方を満たすことを特徴とするものである。
（１）電極２０の遠位縁部の一部２０ｘが防護物４０に覆われており、残りの部分２０ｙが防護物４０に覆われていない。
（２）電極２０の近位縁部の一部が防護物４０に覆われており、残りの部分が防護物４０に覆われていない。
【００１４】
電極カテーテル１は、例えば、電極カテーテル１の遠位側から患者の血管内を通って心臓まで到達させ、心臓における不整脈の検査、治療、除細動に用いられる。
【００１５】
本発明において、近位側とはカテーテルシャフト１０の延在方向に対して使用者の手元側を指し、遠位側とは近位側の反対側、すなわち処置対象側を指す。また、カテーテルシャフト１０の延在方向を遠近方向と称する。径方向とはカテーテルシャフト１０の半径方向を指し、径方向において内方とはカテーテルシャフト１０の軸中心側に向かう方向を指し、径方向において外方とは内方と反対側に向かう方向を指す。なお、図１、図３、図４および図６において、図の右側が近位側であり、図の左側が遠位側である。図２において、図の下側が近位側であり、上側が遠位側である。
【００１６】
図１に示すように、電極カテーテル１は、近位側にハンドル２を有していてもよい。図４に示すように、カテーテルシャフト１０の遠位端部にワイヤ３の一方端部が固定されていてもよい。さらに、図示していないが、ワイヤ３の他方端部がハンドル２に固定されていてもよい。電極カテーテル１が近位側にハンドル２を有しており、カテーテルシャフト１０の遠位端部にワイヤ３の一方端部が固定され、ワイヤ３の他方端部がハンドル２に固定されていることにより、ハンドル２を操作してワイヤ３を遠近方向に移動させることによって、ワイヤ３と固定されているカテーテルシャフト１０の遠位端部がワイヤ３の動きに連動し、カテーテルシャフト１０の遠位側が一方側に屈曲する。従って、ハンドル２を操作することによって、電極カテーテル１の遠位端部を湾曲させることが可能となり、心腔内の目的箇所へ電極カテーテル１の電極２０を接触させることが容易となる。
【００１７】
カテーテルシャフト１０は、遠近方向を有し、遠近方向に延在する内腔１１を有している。カテーテルシャフト１０の内腔１１には、例えば、電極２０に接続されている導線３０や、ワイヤ３等が配置される。カテーテルシャフト１０は、内腔１１を１つ有しているシングルルーメン構造であってもよく、内腔１１を複数有しているマルチルーメン構造であってもよい。カテーテルシャフト１０が有する内腔１１の数が１つであれば、カテーテルシャフト１０の内部に内腔１１を区分けする隔壁等が存在しないため、カテーテルシャフト１０の柔軟性を高めることができ、電極カテーテル１の挿通性を向上させることができる。カテーテルシャフト１０が有する内腔１１の数が複数であれば、内腔１１に配置される複数の導線３０やワイヤ３等をそれぞれ別の内腔１１に配置することによって、導線３０が別の導線３０やワイヤ３等に接触することを防止し、導線３０が断線する等の電極カテーテル１の破損を防ぐことができる。
【００１８】
カテーテルシャフト１０は、例えば、ポリエチレン、ポリプロピレン等のポリオレフィン系樹脂、ナイロン等のポリアミド系樹脂、ＰＥＴ等のポリエステル系樹脂、ＰＥＥＫ等の芳香族ポリエーテルケトン系樹脂、ポリエーテルポリアミド系樹脂、ポリウレタン系樹脂、ポリイミド系樹脂、ＰＴＦＥ、ＰＦＡ、ＥＴＦＥ等のフッ素系樹脂、ポリ塩化ビニル系樹脂等の合成樹脂等が挙げられる。カテーテルシャフト１０は、単層構造であってもよく、複層構造であってもよい。カテーテルシャフト１０が複層構造である場合、例えば、カテーテルシャフト１０を構成する樹脂チューブの中間層として、ステンレス鋼、炭素鋼、ニッケルチタン合金等の金属編組を用いた構造とすることができる。カテーテルシャフト１０を構成する材料は、フッ素系樹脂であることが好ましく、ＰＴＦＥであることがより好ましい。カテーテルシャフト１０を構成する材料がフッ素系樹脂であることにより、カテーテルシャフト１０の外表面のすべり性がよく、また、カテーテルシャフト１０が適度な剛性を有するため、血管への挿通性がよい電極カテーテル１とすることができる。
【００１９】
カテーテルシャフト１０の遠近方向の長さは、治療に適切な長さを選択することができる。例えば、カテーテルシャフト１０の遠近方向の長さは、５００ｍｍ以上１５００ｍｍ以下とすることができる。
【００２０】
カテーテルシャフト１０の外径は、０．５ｍｍ以上であることが好ましく、０．７ｍｍ以上であることがより好ましく、１ｍｍ以上であることがさらに好ましい。カテーテルシャフト１０の外径の下限値を上記の範囲に設定することにより、カテーテルシャフト１０に適度な剛性を与えることができ、血管への挿通性の高い電極カテーテル１とすることができる。また、カテーテルシャフト１０の外径は、３ｍｍ以下であることが好ましく、２．８ｍｍ以下であることがより好ましく、２．５ｍｍ以下であることがさらに好ましい。カテーテルシャフト１０の外径の上限値を上記の範囲に設定することにより、電極カテーテル１をイントロデューサーやシースを用いて血管へ挿通する際に、カテーテルシャフト１０がイントロデューサー、シースおよび血管内壁等へ接触しにくくなり、イントロデューサーやシース、血管内壁等を傷つけにくくすることができる。
【００２１】
図示していないが、イントロデューサーは、予めカテーテルシャフトに挿通されているチューブ状の部材である。電極カテーテルを血管内に配置されたシース内に挿入する際に、イントロデューサーを電極カテーテルの先端まで移動させ、イントロデューサーをシースに挿入し、電極カテーテルをシース内に導入するために用いる。電極カテーテル先端部に屈曲部を有する場合、イントロデューサーの長軸方向の長さは、直線状になった屈曲部がイントロデューサー内に配置されるような長さであることが好ましい。
【００２２】
カテーテルシャフト１０の厚みは、５０μｍ以上であることが好ましく、１００μｍ以上であることがより好ましく、１５０μｍ以上であることがさらに好ましい。カテーテルシャフト１０の厚みの下限値を上記の範囲に設定することにより、カテーテルシャフト１０の剛性を高め、血管への挿通性がよい電極カテーテル１とすることが可能となる。また、カテーテルシャフト１０の厚みは、３５０μｍ以下であることが好ましく、３００μｍ以下であることがより好ましく、２５０μｍ以下であることがさらに好ましい。カテーテルシャフト１０の厚みの上限値を上記の範囲に設定することにより、カテーテルシャフト１０の内腔１１を広くすることができ、電極カテーテル１の電極２０を多極化できる。
【００２３】
カテーテルシャフト１０は、遠位端に先端チップ５を有していてもよい。先端チップ５は、半球状の電極や、カテーテルシャフト１０の遠位端の開口を防ぐ蓋状の部材を用いることができる。カテーテルシャフト１０が先端チップ５を有していることにより、電極カテーテル１の使用時に血液等の水分がカテーテルシャフト１０の内腔１１の中に入り込み、電極２０と導線３０との接続部に水分が接触することによって複数の導線３０の間の絶縁性が低下することや、心内電位を測定する際に心電図のベースライン電位が不安定になるドリフト現象の発生を防止することができる。また、先端チップ５が電極カテーテル１の先端のガイドとなり、電極カテーテル１の挿入性を向上させることも可能となる。なお、電極カテーテル１がワイヤ３を有している場合、カテーテルシャフト１０の内腔１１において、先端チップ５をワイヤ３の固定部分とすることができる。先端チップ５にワイヤ３の固定端があることにより、ワイヤ３を操作することによって電極カテーテル１を効果的に屈曲させることが可能となる。
【００２４】
先端チップ５を構成する材料は特に限定されないが、例えば、前述のカテーテルシャフト１０を構成する材料、または、後述する電極２０を構成する材料等を用いることができる。なお、先端チップ５を後述する電極２０を構成する材料等の導電性材料で構成し、先端チップ５を導線３０に接続することによって、先端チップ５が電極２０を兼ねることもできる。
【００２５】
なお、カテーテルシャフト１０の遠位端に先端チップ５を設けず、カテーテルシャフト１０の遠位端部が熱融着等されることによって、カテーテルシャフト１０の遠位端の開口が塞がれていてもよい。
【００２６】
電極２０は、カテーテルシャフト１０に配置されている。電極２０は、カテーテルシャフト１０の外表面に配されていることが好ましい。電極２０がカテーテルシャフト１０に配置されていることにより、電極２０を心臓の内壁に近接または接触させて心内電位を測定して不整脈の原因となっている心臓の異常部位を特定することや、心腔内において除細動を行うこと等が可能となる。
【００２７】
電極２０は、リング状電極であってもよく、カテーテルシャフト１０上に島状に独立して形成された長方形あるいは正方形等の形状の平板電極であってもよい。電極２０が平板電極である場合、平板電極の裏面（内側面）および表面（外側面）の少なくとも一方がカテーテルシャフト１０の表面の曲面に沿いやすいよう、曲面であってもよい。中でも、電極２０はリング状であることが好ましい。電極２０がリング状電極であることにより、カテーテルシャフト１０の周上における電極２０の面積を大きくすることができ、電極２０を心臓の内壁の目的部位へ接触させやすくなる。
【００２８】
電極２０がリング状電極である場合、図４に示すように、電極２０の内径は、カテーテルシャフト１０の外径よりも小さいことが好ましい。電極２０がこのように構成されていることにより、電極２０の端部が他物に引っ掛かりにくくなり、電極２０がイントロデューサーやシース、血管や心臓の内壁等を傷つけにくくなる。電極２０の内径をカテーテルシャフト１０の外径よりも小さくするには、例えば、電極２０の内径をカテーテルシャフト１０の外径よりも大きく形成し、電極２０をカテーテルシャフト１０に通して、電極２０を外方からかしめて電極２０の内径を縮める方法や、電極２０の内径よりも小さい外径のカテーテルシャフト１０を熱膨張性樹脂で形成し、電極２０をカテーテルシャフト１０に通して、カテーテルシャフト１０を加熱してカテーテルシャフト１０の外径を大きくする方法等が挙げられる。
【００２９】
電極２０を構成する材料は、例えば、銅、金、白金、アルミニウム、鉄、またはこれらの合金等の金属材料が挙げられる。中でも、電極２０を構成する材料は、白金またはその合金であることが好ましい。電極２０を構成する材料が白金またはその合金であることにより、電極２０のＸ線に対する造影性を高めることができ、電極カテーテル１の使用時にＸ線を用いることによって電極２０の位置を容易に確認することができる。
【００３０】
導線３０は、電極２０に接続されている。導線３０は、電極２０と電極カテーテル１の電源装置等の外部機器（図示せず）とを電気的に接続するものであり、カテーテルシャフト１０の内腔１１に配置されている。導線３０を電極カテーテル１の外部機器に接続することにより、電極２０と電極カテーテル１の外部機器とが電気的に接続される。また、電極カテーテル１の近位側にコネクタ４を有しており、導線３０がコネクタ４に接続されている構成であって、コネクタ４を電極カテーテル１の外部機器に接続することによって、電極２０と外部機器とを接続してもよい。
【００３１】
図示していないが、導線３０は、コアと被覆を有している。導線３０のコアを構成する材料は、導電性材料であればよく、例えば、鉄、銅、銀、ステンレス、タングステン、ニッケル、チタン、またはこれらの合金等の金属材料が挙げられる。中でも、導線３０のコアを構成する材料はステンレスであることが好ましい。ステンレスは真直性と剛性があるため、導線３０のコアを構成する材料がステンレスであることにより、電極カテーテル１の製造において導線３０をカテーテルシャフト１０の内腔１１に通しやすく、また、電極２０の接続部等において導線３０の断線が生じにくくなる。
【００３２】
導線３０は、電極２０等の他物と接続される両端部以外の部分に被覆を有している。具体的には、例えば、導線３０の一方端部の被覆を一部除去して、この部分を電極２０に溶接する等によって導線３０の一方端部を電極２０に接続し、さらに、導線３０の他方端部の被覆を一部除去して、電極カテーテル１の外部機器またはハンドル２のコネクタ４に接続することにより、導線３０を両端部以外の部分に被覆を有する構成とすることができる。
【００３３】
導線３０を電極２０へ接続する方法としては、例えば、溶接、はんだ等のろう付け、かしめ等による接続等を用いることができる。電極２０への導線３０の接続方法は、中でも、溶接であることが好ましい。導線３０が溶接によって電極２０へ接続されていることにより、導線３０と電極２０との接続強度を容易に強固なものとできる。また、図示していないが、導線３０と電極２０との間に導電性を有する導電性部材を介した状態にて、導線３０と電極２０とが接続されていてもよい。
【００３４】
導線３０と電極２０との接続部は、大気中に含まれる水分等による酸化劣化が生じないようにするため、樹脂等によりコーティングを行うことが好ましい。このコーティングに用いる樹脂としては、例えば、ポリウレタン系樹脂やエポキシ系樹脂等が挙げられる。
【００３５】
導線３０の被覆は、絶縁性材料であればよく、例えば、ポリエチレン、ポリプロピレン等のポリオレフィン系樹脂、ナイロン等のポリアミド系樹脂、ＰＥＴ等のポリエステル系樹脂、ＰＥＥＫ等の芳香族ポリエーテルケトン系樹脂、ポリエーテルポリアミド系樹脂、ポリウレタン系樹脂、ポリイミド系樹脂、ＰＴＦＥ、ＰＦＡ、ＥＴＦＥ等のフッ素系樹脂、ポリ塩化ビニル系樹脂等の合成樹脂が挙げられる。導線３０の被覆を構成する材料は、中でも、フッ素系樹脂であることが好ましく、ＰＦＡであることがより好ましい。導線３０の被覆がこのように構成されていることにより、導線３０の絶縁性を高めることができ、さらに、カテーテルシャフト１０の内腔１１において、他の電極２０に接続されている導線３０やワイヤ３等の他物との摺動性を向上することができ、導線３０の被覆と他物が接触することによる被覆の破損を防ぐことができる。
【００３６】
防護物４０は、電極２０の外方に配置されている。防護物４０は、図４に示すように、電極２０に接しておらず、防護物４０と電極２０との間に距離をあけた状態で電極２０の外方に配置されていてもよく、図６に示すように、電極２０に直接接している状態で電極２０の外方に配置されていてもよい。
【００３７】
本発明の電極カテーテル１は、下記（１）の条件と下記（２）の条件の少なくとも一方を満たすものである。
（１）電極２０の遠位縁部の一部２０ｘが防護物４０に覆われており、残りの部分２０ｙが防護物４０に覆われていない。
（２）電極２０の近位縁部の一部が防護物４０に覆われており、残りの部分が防護物４０に覆われていない。
【００３８】
（１）の条件を満たす形態の一例として、図４および図５を用いて説明する。図４および図５に示すように、防護物４０は電極２０の外方に配置されており、電極２０の遠位端２０ａを含む遠位端部の一部が防護物４０に覆われている。なお、本発明において、電極２０が防護物４０に覆われているとは、防護物４０と電極２０との間に空間を有して被さっており防護物４０と電極２０とが直接接してはいないが電極２０を防護物４０が間接的に防護している形態も、防護物４０と電極２０とが直接接しており電極２０を防護物４０が直接防護している形態も、両方とも含むものとする。図４および図５に示す電極カテーテル１は防護物４０が電極２０を間接的に防護しており、図６に示す電極カテーテル１は防護物４０が電極２０を直接的に防護している。ここでいう、間接的に防護とは、防護物４０が電極２０と直接接していない状態、つまり防護物４０が電極２０との間に空間を有して被さっている状態をいう。
【００３９】
図５に示すように、防護物４０は、電極２０の遠位縁部の一部２０ｘを覆っており、防護物４０は、電極２０の遠位縁部の残りの部分２０ｙを覆っていない。防護物４０がこのように配置されていることにより、電極２０の遠位縁部の一部２０ｘに他物が接触しないように防護物４０が防護しているため、電極２０の端部がイントロデューサーやシース、血管や心臓の内壁等に引っ掛かりにくくなり、イントロデューサーやシースの破損を防止して血管や心臓の内壁を傷つけにくくすることが可能となる。また、電極２０の遠位縁部の残りの部分２０ｙは防護物４０に覆われていないため、電極２０を心臓の内壁に接触させて検査や治療を行う際の妨げとなりにくい。さらに、電極２０の遠位縁部の全周ではなく、遠位縁部の一部２０ｘを覆うように防護物４０を設けるため、防護物４０の配置が容易である。
【００４０】
（２）の条件を満たす場合は、上記の（１）の条件を満たす場合と同様であって、上記の「電極２０の遠位縁部の一部２０ｘ」を「電極２０の近位縁部の一部」に、「電極２０の遠位縁部の残りの部分２０ｙ」を「電極２０の近位縁部の残りの部分」にそれぞれ置き換えればよい。つまり、防護物４０は、電極２０の近位縁部の一部を覆っており、防護物４０は、電極２０の近位縁部の残りの部分は覆っていない。電極カテーテル１が（２）の条件を満たすことにより、電極カテーテル１が（１）の条件を満たす場合と同様に、電極２０の端部が他物に引っ掛かりにくくなり、電極２０の端部が他物を傷つけにくくなる。
【００４１】
防護物４０は、電極２０に直接接していなくてもよいが、電極２０に接していることが好ましい。防護物４０が電極２０に直接接していることにより、電極２０を防護物４０が直接防護しているため、電極２０の端部が他物により引っ掛かりにくくすることができる。また、カテーテルシャフト１０に防護物４０を配置することが容易となって、製造コストが低くなり、また、品質のバラツキも小さくすることができるため、電極カテーテル１の製造が行いやすくなる。
【００４２】
防護物４０は、防護物４０の一部は電極２０に接しており、残りの部分は電極２０に接していない構成であってもよい。具体的には、例えば、防護物４０の一方端側が電極２０に接しており、他方端側が電極２０に接していない構成や、防護物４０の一方端部および他方端部が電極２０に接しておらず、中間部が電極２０に接している構成等が挙げられる。防護物４０の一部が電極２０に接しており、残りの部分が電極２０に接していない構成であることにより、カテーテルシャフト１０の防護物４０が配置されている部分の剛性を各部位によって変えることができ、カテーテルシャフト１０の屈曲の度合い等を調節することが可能となる。
【００４３】
防護物４０を構成する材料は、ＰＴＦＥ、ＰＦＡ、ＥＴＦＥ等のフッ素系樹脂、エポキシ系樹脂、ウレタン系樹脂等、シリコーン系樹脂、塩化ビニル系樹脂の合成樹脂等が挙げられる。中でも、防護物４０を構成する材料は、絶縁物であることが好ましい。防護物４０を構成する材料が絶縁物であることにより、電極２０を心臓の内壁に接触させて検査や治療を行う際に、防護物４０が電極２０と接している場合や、防護物４０と電極２０との距離が近い場合であっても、電極２０が心内電位を測定することや電気的な刺激を心臓に与えることを防護物４０が妨げてしまうことを防止できる。また、防護物４０を構成する材料は、フッ素系樹脂、エポキシ系樹脂、またはウレタン系樹脂を含むことがより好ましい。防護物４０を構成する材料がフッ素系樹脂、エポキシ系樹脂またはウレタン系樹脂を含むことにより、生体適合性が高く、より低侵襲である電極カテーテル１とすることができる。
【００４４】
防護物４０を構成する材料が合成樹脂である場合、電極２０の外方に防護物４０を配置する方法としては、例えば、合成樹脂を含む接着剤や塗料を電極２０の上に塗布する、合成樹脂からなる線材を電極２０の上に配置して、この線材をカテーテルシャフト１０や電極２０に接着剤を用いて固定する、合成樹脂によって構成されている線材を電極２０の上に配置し、この線材の外方に別部品を配置して別部品をかしめる等して物理的に固定する等の方法が挙げられる。中でも、防護物４０を構成する材料が合成樹脂である場合における防護物４０の配置方法としては、合成樹脂を含む接着剤を電極２０の上に塗布することが好ましい。合成樹脂を含む接着剤を電極２０の上に塗布することによって防護物４０を配置することにより、防護物４０の形成が容易となって電極カテーテル１の製造が行いやすくなる。
【００４５】
防護物４０が電極２０に接していない場合、防護物４０を構成する材料は、防護物４０を構成する材料として前述の材料の他、ステンレス、鉄、ニッケル、チタン、またはこれらの合金等の金属を用いることも可能である。防護物４０を構成する材料が金属であることにより、防護物４０の強度を高めることができ、電極カテーテル１をイントロデューサーやシースに繰り返し挿通しても防護物４０が破損しにくくなって、電極カテーテル１の耐久性が高くなる。防護物４０を構成する材料が金属である場合、防護物４０が絶縁物の被覆を有していることが好ましい。防護物４０が絶縁物の被覆を有していることにより、血管や心臓の内壁等によって防護物４０が押され、防護物４０と電極２０との距離が近くなった場合であっても、電極カテーテル１の心内電位の測定や電気的な刺激を心臓に与えるといった検査や治療の妨げとなりにくくすることができる。
【００４６】
防護物４０を構成する材料が金属である場合、電極２０の外方に防護物４０を配置する方法としては、例えば、金属線材を電極２０の上に配置して、金属線材をカテーテルシャフト１０や電極２０に接着剤等によって固定する、別部品をかしめる等によって物理的に固定する等の方法が挙げられる。中でも、防護物４０を構成する材料が金属である場合における防護物４０の配置方法としては、金属線材を電極２０の上に配置し、接着剤等によって固定することが好ましい。金属線材を電極２０の上に配置して接着剤等を用いて固定することによって防護物４０を構成することにより、防護物４０を容易に配置することができ、電極カテーテル１の製造も容易となる。
【００４７】
電極カテーテル１は、（１）の条件と（２）の条件の少なくとも一方を満たせばよいが、（１）の条件と（２）の条件の両方を満たすことが好ましい。つまり、電極２０の遠位縁部および近位縁部の両方において、一部が防護物４０に覆われており、残りの部分が防護物４０に覆われていないことが好ましい。電極カテーテル１が（１）の条件と（２）の条件の両方を満たす構成であることにより、電極２０の遠位端２０ａと近位端２０ｂの両方が他物に引っ掛かることを防止でき、電極２０の端部が他物を傷つけることを防ぐ効果をより高めることができる。
【００４８】
電極カテーテル１が（１）の条件と（２）の条件の両方を満たす場合、電極２０の遠位縁部の一部２０ｘを覆っている防護物４０と、近位縁部の一部を覆っている防護物４０とが別々の防護物４０であってもよいが、電極２０の遠位縁部の一部２０ｘを覆っている防護物４０と、近位縁部の一部を覆っている防護物４０とが一体であることが好ましい。つまり、１つの防護物４０が電極２０の遠位縁部の一部２０ｘと近位縁部の一部の両方を覆っていることが好ましい。電極２０の遠位縁部の一部２０ｘを覆っている防護物４０と近位縁部の一部を覆っている防護物４０とが一体であることにより、電極２０の外方に防護物４０を設けることが容易となり、電極カテーテル１の製造が行いやすくなる。
【００４９】
防護物４０は、電極２０の遠位端２０ａよりも遠位側から延びており、かつ、電極２０の近位端２０ｂよりも近位側から延びていることが好ましい。防護物４０が電極２０の遠位端２０ａよりも遠位側から延びており、電極２０の近位端２０ｂよりも近位側から延びている構成であることにより、電極２０の遠位端２０ａおよび近位端２０ｂが他物に引っ掛かりにくくなる効果をさらに高めることができる。
【００５０】
防護物４０は、長尺状であり、カテーテルシャフト１０の遠近方向に延在していることが好ましい。防護物４０がカテーテルシャフト１０の遠近方向に延在していることにより、防護物４０が電極２０の遠位縁部の一部２０ｘと近位縁部の一部の少なくとも一方を覆うように、防護物４０を電極２０の外方に配置することが容易となり、また、電極２０の端部が他物に接触して、他物を傷つけることを防ぎやすくなる。
【００５１】
防護物４０の遠近方向の長さは、電極２０の遠近方向の長さよりも長いことが好ましい。防護物４０の遠近方向の長さが電極２０の遠近方向の長さよりも長い構成であることにより、電極２０の遠位端２０ａと近位端２０ｂの両方が防護物４０によって覆われ、電極２０の遠位端２０ａおよび近位端２０ｂが他物に引っ掛かることを防止する効果を高めることができる。
【００５２】
防護物４０の遠近方向の長さは、電極２０の遠近方向の長さである電極長または電極群長よりも長いことが好ましい。電極群長とは、防護物４０により防護される複数の電極２０であって、最も遠位側にある電極２０の遠位端２０ａから最も近位側のにある電極２０の近位端２０ｂまでの長さをいう。防護物４０の遠近方向の長さは、電極長または電極群長の１．１倍以上であることが好ましく、１．３倍以上であることがより好ましく、１．５倍以上であることがさらに好ましい。防護物４０の遠近方向の長さの下限値を上記の範囲に設定することにより、電極２０の端部が他物に引っ掛かりにくくする効果をさらに向上させることができる。防護物４０の遠近方向の長さの上限値は特に限定されないが、例えば、電極２０または電極群長の遠近方向の長さの２倍以下、１．８倍以下、１．６倍以下とすることができる。
【００５３】
防護物４０は、カテーテルシャフト１０の周方向において、カテーテルシャフト１０の周の長さの１／２０以上の範囲を覆っていることが好ましく、１／１８以上の範囲を覆っていることがより好ましく、１／１５以上の範囲を覆っていることがさらに好ましい。防護物４０がカテーテルシャフト１０の周方向において覆っている範囲の下限値を上記の範囲に設定することにより、防護物４０が電極２０の端部を十分に防護することができ、電極２０の端部が他物に引っ掛かって傷つけることをより防ぎやすくなる。また、防護物４０は、カテーテルシャフト１０の周方向において、カテーテルシャフト１０の周の長さの１／２以下の範囲を覆っていることが好ましく、１／３以下の範囲を覆っていることがより好ましく、１／４以下の範囲を覆っていることがさらに好ましい。防護物４０がカテーテルシャフト１０の周方向において覆っている範囲の上限値を上記の範囲に設定することにより、電極カテーテル１を用いた検査時や治療時において、電極２０を心臓の内壁に接触させる際に防護物４０が妨げとなりにくく、電極２０を心臓の内壁へ十分に接触させることができる。
【００５４】
電極２０の数は、１つであってもよいが、複数であることが好ましい。電極２０が複数であることにより、心臓の内壁において、一度に複数箇所の検査や治療を行うことができ、手技時間を短縮することが可能となる。電極２０が複数である場合、各電極２０の形状や材質、隣り合う各電極２０の間隔は、同じであってもよく、それぞれ異なっていてもよい。例えば、各電極２０の形状、材質および間隔が同じであれば、電極カテーテル１を用いた検査や治療において、各電極２０の心内電位の測定条件やアブレーション手術の条件が同じものとなり、電極カテーテル１の取り扱いが容易となる。
【００５５】
隣り合う２つの電極２０の間隔は、電極２０の遠近方向の長さよりも長いことが好ましい。隣り合う２つの電極２０の間隔が電極２０の遠近方向の長さよりも長くなるように配置されていることにより、カテーテルシャフト１０の外表面における各電極２０間の絶縁性を十分に確保することができ、効率的に検査および治療を行うことができる。
【００５６】
電極２０は、第１の電極２１と第２の電極２２を有しており、第１の電極２１は、第２の電極２２よりも遠位側に配置されており、防護物４０は、第１の電極２１の少なくとも一部と第２の電極２２の少なくとも一部にまたがって設けられていることが好ましい。つまり、防護物４０は、第１の電極２１と第２の電極２２にわたって、連続的に設けられていることが好ましい。防護物４０が第１の電極２１の少なくとも一部と第２の電極２２の少なくとも一部にまたがって設けられていることにより、電極２０が複数ある場合でも、１つの防護物４０によって第１の電極２１と第２の電極２２の両方の端部が他物に引っ掛かりにくくすることができるため、防護物４０を設ける際の手間が減り、電極カテーテル１の製造が容易となる。
【００５７】
なお、電極２０が第１の電極２１と第２の電極２２以外の電極２０を有している場合、第１の電極２１と第２の電極２２とが隣接するように配置されていてもよく、第１の電極２１よりも近位側、かつ第２の電極２２よりも遠位側に別の電極２０が配置されているように、第１の電極２１と第２の電極２２との間に別の電極２０が配置され、第１の電極２１と第２の電極２２とが隣接していなくてもよい。
【００５８】
カテーテルシャフト１０に配置されている電極２０の中で、第１の電極２１は、最も遠位側に配置されており、第２の電極２２は、最も近位側に配置されており、防護物４０は、第１の電極２１の遠位縁部から第２の電極２２の近位縁部にまたがって設けられていることが好ましい。つまり、カテーテルシャフト１０に配置されている全ての電極２０にわたって防護物４０が連続的に設けられており、１つの防護物４０によって全ての電極２０の端部が覆われていることが好ましい。第１の電極２１が最も遠位側に、第２の電極２２が最も近位側にそれぞれ配置されており、防護物４０が第１の電極２１の遠位縁部から第２の電極２２の近位縁部にまたがって設けられていることにより、防護物４０を１つ設けるだけで全ての電極２０の端部を覆うことができ、製造コストが低く、電極２０の端部が他物を傷つけにくい電極カテーテル１を効率的に製造することができる。
【００５９】
カテーテルシャフト１０は、遠位部に屈曲部１２を有していることが好ましい。屈曲部１２の具体的な形状としては、例えば、ループ形状、湾曲形状、螺旋形状等が挙げられる。また、少なくとも１つの電極２０は、屈曲部１２に配置されていることが好ましい。電極カテーテル１が遠位部に屈曲部１２を有しており、屈曲部１２に少なくとも１つの電極２０が配置されていることにより、カテーテルシャフト１０の遠位部を心臓の内壁に接触させることに適した形状となり、屈曲部１２に配置されている電極２０を心臓の内壁に接触させやすくなり、電極カテーテル１を用いた検査や治療が行いやすくなる。
【００６０】
少なくとも１つの電極２０が屈曲部１２に配置されていることが好ましいが、カテーテルシャフト１０に設けられている全ての電極２０のうち、半数以上が屈曲部１２に配置されていることがより好ましく、全ての電極２０が屈曲部１２に配置されていることがさらに好ましい。電極カテーテル１において、カテーテルシャフト１０に設けられている全ての電極２０のうち半数以上が屈曲部１２に配置されていることにより、電極カテーテル１を用いた検査や治療の効率化を図ることができる。
【００６１】
図２に示すように、屈曲部１２は、ループ形状であることが好ましい。屈曲部１２がループ形状であることにより、不整脈を引き起こす心臓の異常部位が存在していることが多い左房内の肺静脈開口部にフィットしやすくなり、電極カテーテル１を用いた検査や治療が行いやすくなって、手技時間を短縮することができる。
【００６２】
防護物４０は、カテーテルシャフト１０の外方であって、屈曲部１２の内側に配置されていることが好ましい。カテーテルシャフト１０が屈曲部１２を有する場合、電極カテーテル１をイントロデューサーやシースに挿通する際に、特に屈曲部１２の内側がイントロデューサーやシースに押し付けられやすく、イントロデューサーやシースを破損することや電極２０が破損したり脱落したりすることがあった。そのため、カテーテルシャフト１０の外方であって屈曲部１２の内側に防護物４０を配置することにより、他物に引っ掛かりやすい屈曲部１２の内側を防護物４０によって防護し、電極２０の端部の引っ掛かりを防ぐ効果を高めることが可能となる。
【００６３】
図２に示すように、カテーテルシャフト１０は、屈曲部１２よりも近位側に直線部１３を有し、屈曲部１２は、屈曲部１２の遠位端から１ｃｍの区間である第１区間１２ａと、屈曲部１２と直線部１３の境界から１ｃｍの区間である第２区間１２ｂとを有し、カテーテルシャフト１０の周方向における防護物４０の位置は、第１区間１２ａと第２区間１２ｂとで異なることが好ましい。カテーテルシャフト１０の遠位部に屈曲部１２を有し、屈曲部１２よりも近位側に直線部１３を有する電極カテーテル１をイントロデューサーやシースに挿通する際に、カテーテルシャフト１０の周方向において荷重が加わる場所が、屈曲部１２と直線部１３との境界付近と、屈曲部１２の遠位端部で異なっている場合がある。このような電極カテーテル１において、電極２０の端部がイントロデューサーやシースに引っ掛かりを防止する効果を高めるためには、屈曲部１２と直線部１３との境界付近と、屈曲部１２の遠位端部とのそれぞれの、カテーテルシャフト１０の周方向において荷重が加わる場所に防護物４０を配置することがよい。第１区間１２ａおよび第２区間１２ｂにおいて、それぞれ荷重の加わりやすい場所に防護物４０を配置し、カテーテルシャフト１０の周方向における防護物４０の位置を第１区間１２ａと第２区間１２ｂとで異なるように構成することにより、屈曲部１２と直線部１３を有する電極カテーテル１の電極２０の端部が他物に引っ掛かって破損することを防止できる。
【００６４】
カテーテルシャフト１０の周方向における第１区間１２ａの防護物４０と第２区間１２ｂの防護物４０の位置とがなす角度は、３０度以上であることが好ましく、４５度以上であることがより好ましく、６０度以上であることがさらに好ましい。なお、第１区間１２ａの防護物４０と第２区間１２ｂの防護物４０の位置とがなす角度は、第１区間１２ａのカテーテルシャフト１０の遠近方向に垂直な断面において、第１区間１２ａの防護物４０の幅方向の中心とカテーテルシャフト１０の中心とを結ぶ直線と、第２区間１２ｂのカテーテルシャフト１０の遠近方向に垂直な断面において、第２区間１２ｂの防護物４０の幅方向の中心とカテーテルシャフト１０の中心とを結ぶ直線とがなす角度を測定することにより求めることができる。第１区間１２ａの防護物４０と第２区間１２ｂの防護物４０の位置とがなす角度の下限値を上記の範囲に設定することにより、第１区間１２ａと第２区間１２ｂのそれぞれに加わる荷重が異なる場合に、電極２０の端部が他物へ引っ掛かることを防止する効果を十分なものとすることができる。また、カテーテルシャフト１０の周方向における第１区間１２ａの防護物４０と第２区間１２ｂの防護物４０の位置とがなす角度の上限値は特に限定されないが、例えば、１８０度以下、１５０度以下、１２０度以下、１００度以下とすることができる。
【００６５】
図１に示すように、電極カテーテル１は、カテーテルシャフト１０に接続されているコネクタ４を有し、図４および図６に示すように、カテーテルシャフト１０は、カテーテルシャフト１０の外部と内腔１１を連通する穴１４を有し、導線３０は穴１４を通り、電極２０からコネクタ４まで延在しており、カテーテルシャフト１０の軸中心Ｌ１に対して、穴１４と防護物４０が反対にあることが好ましい。イントロデューサーに電極カテーテル１を引き込む際に、防護物４０がイントロデューサーの遠位端部に接触することによって、電極２０の端部はイントロデューサーに接触せず、イントロデューサーの破損や電極２０の脱落を防止している。防護物４０がイントロデューサーに接触しながら電極カテーテル１が引き込まれる際に、防護物４０付近に振動や衝撃が生じることがあり、防護物４０の近くに電極２０と導線３０との接続部が配置されていると、導線３０が電極２０から外れてしまう場合がある。導線３０が穴１４を通って電極２０からコネクタ４まで延在しており、穴１４と防護物４０がカテーテルシャフト１０の軸中心Ｌ１に対して反対にあることにより、電極カテーテル１をイントロデューサーに引き込む際に振動や衝撃が発生する防護物４０と、電極２０と導線３０との接続部との距離を離すことができるため、導線３０が電極２０から外れることを防ぐことができる。
【００６６】
図示していないが、穴１４と導線３０との間に、穴１４と導線３０との隙間を埋める充填物が設けられていることが好ましい。電極カテーテル１を血管内や心臓内に挿通した際に、穴１４と導線３０との隙間からカテーテルシャフト１０の内腔１１に血液等の水分が入り込み、電極２０と導線３０の接続部に血液等が接触すると、心内電位を測定する際に心電図のベースライン電位が不安定になる、所謂ドリフト現象が発生する。穴１４の内部に充填物があることにより、穴１４と導線３０との隙間からカテーテルシャフト１０の内腔１１に血液等が入り込まないようにすることができ、ドリフト現象が起こることを防止できる。充填物としては、例えば、ＰＴＦＥ、ＰＦＡ、ＥＴＦＥ等のフッ素系樹脂、エポキシ系樹脂等の接着剤を用いることができる。
【００６７】
以上のように、本発明の電極カテーテルは、遠近方向を有し、遠近方向に延在する内腔を有するカテーテルシャフトと、カテーテルシャフトに配置されている電極と、電極に接続されている導線と、電極の外方に配置されている防護物を有し、下記（１）の条件と下記（２）の条件の少なくとも一方を満たすことを特徴とする。
（１）電極の遠位縁部の一部が防護物に覆われており、残りの部分が防護物に覆われていない。
（２）電極の近位縁部の一部が防護物に覆われており、残りの部分が防護物に覆われていない。
本発明の電極カテーテルがこのような構成であることにより、電極の端部がイントロデューサー、シース、および血管や心臓の内壁に引っ掛かりにくいためイントロデューサーやシースが破損しにくく、血管や心臓の内壁を傷つけにくくすることができる。また、防護物の配置が行いやすく、電極カテーテルの製造が容易である。
【００６８】
本願は、２０１８年１０月５日に出願された日本国特許出願第２０１８−１９０３７３号に基づく優先権の利益を主張するものである。２０１８年１０月５日に出願された日本国特許出願第２０１８−１９０３７３号の明細書の全内容が、本願に参考のため援用される。
【符号の説明】
【００６９】
１：電極カテーテル
２：ハンドル
３：ワイヤ
４：コネクタ
５：先端チップ
１０：カテーテルシャフト
１１：内腔
１２：屈曲部
１２ａ：第１区間
１２ｂ：第２区間
１３：直線部
１４：穴
２０：電極
２０ａ：電極の遠位端
２０ｂ：電極の近位端
２０ｘ：電極の遠位縁部の一部
２０ｙ：電極の遠位縁部の残りの部分
２１：第１の電極
２２：第２の電極
３０：導線
４０：防護物
Ｌ１：カテーテルシャフトの軸中心
【図１】
2020071084.tif 000003
【図２】
2020071084.tif 000004
【図３】
2020071084.tif 000005
【図４】
2020071084.tif 000006
【図５】
2020071084.tif 000007
【図６】
2020071084.tif 000008
【国際調査報告】
2020071084.tif 000009
2020071084.tif 000010